(57)【特許請求の範囲】
【請求項１】
それぞれが無線カバレージの領域をサポートする複数のネットワーク・アクセス・ノードを含む無線通信ネットワーク内でセル間干渉を減らすための、ネットワーク制御ノードの方法であって、
第１のネットワーク・アクセス・ノードについて、少なくとも１つの隣接ネットワーク・アクセス・ノードを発見するステップと、
前記第１のネットワーク・アクセス・ノードと前記少なくとも１つの隣接ネットワーク・アクセス・ノードとの間のオーバーラップする無線カバレージ領域内で開始される無線通信のために、ユーザ機器がそれに関して競合しなければならない少なくとも１つの所定の共有無線チャネルを割り振るステップと、
前記少なくとも１つの所定の共有無線チャネルの表示を前記第１のネットワーク・アクセス・ノードおよび前記隣接ネットワーク・アクセス・ノードに通信するステップと
を含むネットワーク制御ノードの方法。
【請求項２】
ユーザ機器がそれに関して競合しなければならないすべての使用可能な共有無線チャネルのサブセットを、前記第１のネットワーク・アクセス・ノードと前記隣接ネットワーク・アクセス・ノードとの間のオーバーラップする無線カバレージ領域内で開始される無線通信のために前記割り振られた少なくとも１つの所定の共有無線チャネルに割り振るステップを含む、請求項１に記載の方法。
【請求項３】
前記第１のネットワーク・アクセス・ノードがサービング・セルをサポートし、前記少なくとも１つの隣接ネットワーク・アクセス・ノードが潜在的なターゲット・セルをサポートする時に、前記第１のネットワーク・アクセス・ノードと前記隣接ネットワーク・ノードとの間のオーバーラップする無線カバレージ領域内で開始される無線通信のための第１の少なくとも１つの所定の共有無線チャネルを判定するステップと、
前記第１のネットワーク・アクセス・ノードが潜在的なターゲット・セルをサポートし、前記少なくとも１つの隣接ネットワーク・アクセス・ノードがサービング・セルをサポートする時に、前記第１のネットワーク・アクセス・ノードと前記少なくとも１つの隣接ネットワーク・アクセス・ノードとの間のオーバーラップする無線カバレージ領域内で開始される無線通信のための第２の少なくとも１つの所定の共有無線チャネルを判定するステップと
を含む、請求項１または２に記載の方法。
【請求項４】
サービング・セルをサポートする前記第１のワーク・アクセス・ノードおよび潜在的なターゲット・セルをサポートする前記少なくとも１つの隣接ネットワーク・アクセス・ノードの対ごとに、前記第１の少なくとも１つの所定の共有無線チャネルおよび前記第２の少なくとも１つの所定の共有無線チャネルの対を判定するステップ
をさらに含む、請求項３に記載の方法。
【請求項５】
前記第１のネットワーク・アクセス・ノードおよび前記隣接ネットワーク・アクセス・ノードに前記少なくとも１つの所定の共有無線チャネルの表示を通信する前記ステップは、前記少なくとも１つの所定の共有無線チャネル上で行われる通信をどのように復号すべきかの表示を含む、請求項１及至４のいずれか１項に記載の方法。
【請求項６】
それぞれが無線カバレージの領域をサポートする複数のネットワーク・アクセス・ノードを含む無線通信ネットワーク内でセル間干渉を減らすように動作可能なネットワーク制御ノードであって、
第１のネットワーク・アクセス・ノードについて、少なくとも１つの隣接ネットワーク・アクセス・ノードを発見するように動作可能な発見論理と、
前記第１のネットワーク・アクセス・ノードと前記隣接ネットワーク・アクセス・ノードとの間のオーバーラップする無線カバレージ領域内で開始される無線通信のために、ユーザ機器がそれに関して競合しなければならない少なくとも１つの所定の共有無線チャネルを割り振るように動作可能な割振り論理と、
前記少なくとも１つの所定の共有無線チャネルの表示を前記第１のネットワーク・アクセス・ノードおよび前記隣接ネットワーク・アクセス・ノードに通信するように動作可能な通信論理と
を含むネットワーク制御ノード。
【請求項７】
それぞれが無線カバレージの領域をサポートする複数のネットワーク・アクセス・ノードを含む無線通信ネットワーク内でセル間干渉を制御するための、ネットワーク・アクセス・ノードの方法であって、
オーバーラップする無線カバレージ領域内で開始される無線通信の、ユーザ機器がそれに関して競合しなければならない少なくとも１つの所定の共有無線チャネルを判定するステップと、
前記所定の共有無線チャネル上での前記通信ネットワーク内の通信のために準備するステップと
を含むネットワーク・アクセス・ノードの方法。
【請求項８】
準備する前記ステップは、
前記オーバーラップする無線カバレージ領域内から発する共有無線チャネルに関する要求に前記少なくとも１つの所定の共有無線チャネルを割り振るステップ
を含む、請求項７に記載のセル間干渉を制御する方法。
【請求項９】
前記要求は、無線通信に関する少なくとも１つの所定の共有無線チャネルの要求を含む、請求項８に記載のセル間干渉を制御する方法。
【請求項１０】
無線通信チャネルの前記要求された少なくとも１つの所定の共有無線チャネルが使用のために使用可能であるかどうかを判定し、そうでない場合に、前記少なくとも１つの所定の共有無線チャネルのうちの別の１つを割り振るステップを含む、請求項９に記載のセル間干渉を制御する方法。
【請求項１１】
準備する前記ステップは、
前記所定の共有無線チャネル上で送信される情報を復号する準備をするステップ
を含む、請求項７に記載のセル間干渉を制御する方法。
【請求項１２】
それぞれが無線カバレージの領域をサポートする複数のネットワーク・アクセス・ノードを含む無線通信ネットワーク内でセル間干渉を制御するように動作可能なネットワーク・アクセス・ノードであって、
オーバーラップする無線カバレージ領域内で開始された無線通信の、ユーザ機器がそれに関して競合しなければならない少なくとも１つの所定の共有無線チャネルを判定するように動作可能な判定論理と、
前記所定の共有無線チャネル上で前記通信ネットワーク内で通信する準備をするように動作可能な準備論理と
を含むネットワーク・アクセス・ノード。
【請求項１３】
それぞれが無線カバレージの領域をサポートする複数のネットワーク・アクセス・ノードを含む無線通信ネットワーク内で共有無線チャネルを要求するための、ユーザ機器の方法であって、
第１のネットワーク・アクセス・ノードと隣接ネットワーク・アクセス・ノードとの間のオーバーラップする無線カバレージ領域内で開始される無線通信に関する、ユーザ機器がそれに関して競合しなければならない少なくとも１つの所定の共有無線チャネルの表示を受信するステップと、
通信が前記オーバーラップする無線カバレージ領域内で開始されなければならないと判定するステップと、
その上で前記ネットワーク内の通信を開始すべき前記少なくとも１つの所定の共有無線チャネルの割振りを要求するステップと
を含むユーザ機器の方法。
【請求項１４】
それぞれが無線カバレージの領域をサポートする複数のネットワーク・アクセス・ノードを含む無線通信ネットワーク内で共有無線チャネルを要求するユーザ機器であって、
第１のネットワーク・アクセス・ノードと隣接ネットワーク・アクセス・ノードとの間のオーバーラップする無線カバレージ領域内で開始される無線通信に関する、ユーザ機器がそれに関して競合しなければならない少なくとも１つの所定の共有無線チャネルの表示を受信するように動作可能な受信論理と、
通信が前記オーバーラップする無線カバレージ領域内で開始されなければならないと判定するように動作可能な判定論理と、
その上で前記ネットワーク内の通信を開始すべき前記少なくとも１つの所定の共有無線チャネルの割振りを要求するように動作可能な要求論理と
を含むユーザ機器。
【請求項１５】
コンピュータ上で実行される時に、請求項１乃至５、請求項７乃至１１、または請求項１３のいずれか１項に記載の方法を実行するように動作可能なコンピュータ・プログラム。
【発明の詳細な説明】
【技術分野】
【０００１】
本発明は、セル間干渉を管理する方法、その方法を実施するように動作可能な制御ネットワーク・ノード、ユーザ機器、およびネットワーク・アクセス・ノード、ならびにコンピュータ・プログラム製品に関する。
【背景技術】
【０００２】
無線通信ネットワークが既知である。セルラ・システムでは、無線カバレージが、ユーザ機器、たとえば携帯電話機に、地理的区域によって提供される。無線カバレージのこれらの地理的区域は、セルと称する。基地局は、要求される無線カバレージを提供するために各地理的区域内に配置される。１つの基地局が、同一の地理的区域内でカバレージを提供する複数のセルをサポートすることができる。ある基地局によってサービスされる区域内のユーザ機器は、基地局から情報およびデータを受信し、基地局に情報およびデータを送信する。
【０００３】
基地局によってユーザ機器に送信される情報およびデータは、ダウリンク搬送波と称する無線搬送波のチャネルに現れる。ユーザ機器によって基地局に送信される情報およびデータは、アップリンク搬送波と称する無線搬送波のアップリンク・チャネルに現れる。
【０００４】
無線遠隔通信ネットワークでは、ユーザ機器は、地理的な基地局カバレージ・エリアの間で移動することができる。ユーザ機器に提供されるサービスは、通常、無線ネットワーク制御装置（ＲＮＣ）によって監督される。ＲＮＣは、ユーザ機器および基地局と通信し、各ユーザ機器を主にどの基地局に接続できるのかを判定する。さらに、ＲＮＣは、ユーザ機器がある基地局によってサービスされる地理的区域から別の基地局によってサービスされる地理的区域に移動する時または同一の基地局によってサービスされる地理的区域の間で移動する時に、基地局およびユーザ機器を制御し、これらと通信するように働く。
【０００５】
いくつかのセルラ・システム、たとえばＵＭＴＳシステムでは、「ソフト・ハンドオーバ」（ＳＨＯ）と称する機能性を実施することができる。その機能性は、アップリンク・チャネルを使用してユーザ機器または他のモバイル端末によって送信されるデータ・トラフィックを、複数の基地局によって受信し、復号することを可能にする。これらの基地局を、ＵＭＴＳシステムでは「ｎｏｄｅ  Ｂ」と称する場合もある。さらに、ソフト・ハンドオーバ技法を利用する場合に、ユーザ機器は、ダウンリンクで複数の基地局からデータおよび制御信号を受信し、組み合わせることができる。すなわち、ユーザ機器は、複数の基地局からの送信を受信するかリスンすることができ、複数の基地局は、ユーザ機器によって行われる送信をリスンすることができる。これは、ユーザ機器によって行われる送信が、隣接セルによって干渉とみなされないことを含む複数の利益を有する。そのようなソフト・ハンドオーバ技法を実施できるためには、ユーザ機器および関連するｎｏｄｅＢが、それらがお互いと通信することを許可され、それを期待されることを知ることが必要である。ユーザ機器は、通常、その送信を聞くことができ、それがリスンすることができるｎｏｄｅＢについて、ネットワークによって知らされる。基地局のそのリストを、そのユーザ機器の「アクティブ・セット」と称する。
【０００６】
通常、ソフト・ハンドオーバ体制を実施する場合には、まず、無線リンクが、ユーザ機器と単一の基地局との間でセット・アップされる。ソフト・ハンドオーバ体制への進入が望ましく、可能であると判定される場合には、たとえば使用されるスクランブリング符号を含む、ユーザ機器から単一の基地局への既存のアップリンク送信の構成に関する必要な情報を、第１の基地局から無線ネットワーク制御装置（ＲＮＣ）を介して、ユーザ機器のアクティブ・セットに追加される第２の基地局に渡すことができる。第２の基地局に渡されるこの情報は、第２の基地局がその動作をユーザ機器のアップリンク送信に同期させることを可能にする。第２のｎｏｄｅ  Ｂがアップリンク同期化を得た後に、第２の基地局は、その送信タイミングが第１の基地局とユーザ機器との間の既存のダウンリンクの受信タイミングの近くでユーザ機器で成功して受信される可能性が高くなるように、ユーザ機器との新しいダウンリンクをセット・アップすることができる。
【０００７】
ソフト・ハンドオーバ技法の使用は、複数の基地局がユーザ機器と通信することを可能にすることによって、利得につながるマクロ・ダイバーシティおよびソフト・コンビネーション（ｓｏｆｔ  ｃｏｍｂｉｎａｔｉｏｎ）を介してある度合の選択的組合せを入手することが可能なので、改善されたネットワーク性能につながる可能性がある。ソフト・ハンドオーバ機能性は、隣接基地局によってサポートされる地理的カバレージ領域のエッジ動作するユーザ機器によってセルの間で引き起こされる干渉を最小にする機会をも可能にする。
【０００８】
無線通信ネットワーク内の基地局などのネットワーク・ノードの構成および配置がますます複雑になり、ユーザ機器の機能性が増やされるにつれて、低下した全体的なネットワーク性能につながる可能性がある、予期されない状況が発生し得る。
【発明の概要】
【発明が解決しようとする課題】
【０００９】
したがって、ネットワーク内の干渉を減らすためのソフト・ハンドオーバ技法の使用を容易にする改善された技法を提供することが望まれる。
【課題を解決するための手段】
【００１０】
第１の態様によれば、それぞれが無線カバレージの領域をサポートする複数のネットワーク・アクセス・ノードを含む無線通信ネットワーク内でセル間干渉を管理する方法であって、第１のネットワーク・アクセス・ノードについて、少なくとも１つの隣接ネットワーク・アクセス・ノードを発見するステップと、前記第１のネットワーク・アクセス・ノードと前記隣接ネットワーク・アクセス・ノードとの間のオーバーラップする無線カバレージ領域内で開始される無線通信のために少なくとも１つの所定の共有無線チャネルを割り振るステップと、前記少なくとも１つの所定の共有無線チャネルの表示を前記第１のネットワーク・アクセス・ノードおよび前記隣接ネットワーク・アクセス・ノードに通信するステップとを含む方法が提供される。
【００１１】
スマートホンの導入は、ネットワークによって処理されるデータ・トラフィックのプロファイルの変化につながった。データ・トラフィックが、性質において特にバースト的になる場合があり、たとえば、需要は、ユーザ機器がウェブサイト・ページをロードする間には高いが、ユーザがそのウェブサイトを読んでいる間には実質的に０になる可能性があることを了解されたい。そのようなバースト的トラフィックに関するフルｃｅｌｌ＿ＤＣＨでの動作は、バッテリについて特に浪費的になる可能性があり、したがって、より専用の状態に入らずにバースト的トラフィックを処理する能力は、有益であることが認められた。
【００１２】
前に説明したソフト・ハンドオーバ技法は、ユーザ機器がｃｅｌｌ＿ＤＣＨ状態で動作しつつある時の使用に特に適すると判定された。説明したように、そのような状態では、データ送信は、通常、長時間にわたって続く可能性が高く、したがって、ＲＮＣを介するメッセージングを介するソフト・ハンドオーバに必要な関係のセット・アップは、全体的なデータ・トラフィック・スループットがネットワークを介して大幅に高められる可能性があるので、要する時間に見合った価値があると考えられた。
【００１３】
上で説明したように、ソフト・ハンドオーバのプロセスは、ネットワークがより効率的に動作するためのかなりの機会を提供する。
【００１４】
ユーザ機器は、たとえばＵＭＴＳ遠隔通信ネットワーク内で、さまざまなモードで動作する可能性がある。セル内のユーザ機器の最初の電源投入時には、ユーザ機器は、通常は「アイドル・モード」で動作する。ユーザ機器は、基地局に同期化し、それ自体を基地局にアタッチした後に、radio resource control（ＲＲＣ）接続を得、接続モードであると言われる。アイドル・モードのユーザ機器は、radio resource control接続を有しない。ユーザ機器が、ＲＲＣ接続される場合に、そのユーザ機器は、５つの異なるＲＲＣ状態すなわちｃｅｌｌ＿ＤＣＨ状態、ｃｅｌｌ＿ＦＡＣＨ状態、ｅｎｈａｎｃｅｄ  ｃｅｌｌ＿ＦＡＣＨ状態、ｃｅｌｌ＿ＰＣＨ状態、またはＵＲＡ＿ＰＣＨ状態のうちの１つであることができる。
【００１５】
ユーザ機器は、通常、そのトラフィックが多い時にはｃｅｌｌ＿ＤＣＨ状態に移動する。というのは、そのような状態で、ユーザ機器に、その上で基地局にデータを送信し基地局からデータを受信する専用チャネルが割り振られるからである。ＵＭＴＳネットワーク・アーキテクチャでは、ユーザ機器は、大量のトラフィックを有すると期待される時に、ｃｅｌｌ＿ＤＣＨ状態であることができる。ｃｅｌｌ＿ＤＣＨ状態での動作は、通常、バッテリ電力を大量に要求する。
【００１６】
歴史的に、ユーザ機器は、ｃｅｌｌ＿ＤＣＨ状態ではない時に、アップリンク上でrandom access channel（ＲＡＣＨ）を使用して動作し、基地局は、forward access channel（ＦＡＣＨ）を使用してユーザ機器と通信するように動作する。ＲＡＣＨおよびＦＡＣＨは、非常に小さいデータ搬送能力を有し、ＷＣＤＭＡまたはＵＭＴＳシステムでは、ユーザ機器および基地局が、ユーザ機器がｃｅｌｌ＿ＦＡＣＨ状態である時にダウンリンク上およびアップリンク上の共有されるまたは共通のリソースを使用して、動作し、その間でデータ・トラフィックを通信する能力が、導入された。
【００１７】
アップリンクでは、データ・トラフィック送信は、enhanced dedicated channelを使用して行われ、ダウンリンクでは、high speed downlink shared channel上で送信される。そのようなチャネルは、ユーザ機器がｃｅｌｌ＿ＤＣＨ状態に入る必要なしに、ユーザ機器および基地局が、ある時間の間にそれらの間でより長くより大きいデータ・パケットを通信し、送信することを可能にする。そのような配置は、ユーザ機器が、ｃｅｌｌ＿ＤＣＨなどのより専用のＲＲＣ状態に遷移せずにｃｅｌｌ＿ＦＡＣＨ状態により長く留まることを可能にし、これによって、電力消費節約を可能にする。
【００１８】
しかし、ｃｅｌｌ＿ＦＡＣＨ状態で動作する時に、ユーザ機器へおよびこれからのデータ送信は、通常、短いバーストの特徴がある。したがって、伝統的な方法による、ソフト・ハンドオーバをセット・アップするためにＲＮＣを介してユーザ機器および基地局から情報を渡すことによってこうむる相対的に長い遅延は、通常、ｃｅｌｌ＿ＦＡＣＨ状態で発生するデータ・バーストが終了する前にソフト・ハンドオーバをセット・アップし、使用するためには長すぎるはずである。その結果、ソフト・ハンドオーバは、通常、ユーザ機器がｃｅｌｌ＿ＦＡＣＨ状態で動作する間にはサポートされない。
【００１９】
ｃｅｌｌ＿ＦＡＣＨで動作するユーザ機器に関するソフト・ハンドオーバのサポートの欠如は、ユーザ機器がｃｅｌｌ＿ＤＣＨ状態で動作しつつある時にユーザ機器および基地局が達成するものより悪いシステム性能をもたらす可能性がある。これは、ｃｅｌｌ＿ＦＡＣＨで動作する時にマクロ・ダイバーシティを介する選択組合せがなく、より大きいアップリンク送信電力要件につながるからである。さらに、ｃｅｌｌ＿ＦＡＣＨ状態で動作する場合に、電力制御コマンドは、ユーザ機器では、１つの基地局から受信されるのみである。したがって、サービング・セルによってサポートされるカバレージ・エリアのエッジ付近のユーザ機器は、そのユーザ機器に電力送信を減らすように要求することができない隣接セルへの大きい干渉を引き起こす可能性があり、電力送信を減らすように要求できる場合であっても、隣接セルがアップリンク信号の受信を助けてもいるようになるまではそれを行わないことが適当である。というのは、隣接セルによって指示される電力の削減が、そのサービング・セル内のユーザ機器によって達成される有効データ・レートを下げる可能性があるからである。
【００２０】
第１の態様は、他の形でソフト・ハンドオーバ機能性を使用可能にし、実施する、これによって、たとえばｃｅｌｌ＿ＦＡＣＨならびにｃｅｌｌ＿ＤＣＨユーザ機器状態でのソフト・ハンドオーバの使用を可能にすることが可能であることを認めるものである。
【００２１】
具体的には、１つまたは複数の共有無線チャネルを、特に無線アクセス・ノード、たとえば基地局によってサポートされる無線カバレージのオーバーラップする領域内で動作するユーザ機器に事前に割り振ることによって、これらのオーバーラップする領域内で無線サービスをサポートする基地局を、オーバーラップする領域内のユーザ機器によって行われるこれらの無線チャネル上での送信を復号するように準備することが可能である。基地局に、そのような復号を可能にするのに十分な情報を与えることによって、全体的なネットワーク動作に対してユーザ機器によって引き起こされる干渉を、管理することができる。
【００２２】
共有チャネルは、通常、ユーザ機器がそれに関して競合しなければならないチャネルである。たとえば、ユーザ機器が、ＣＥＬＬ＿ＦＡＣＨモードで動作しつつある場合には、２タイプの共通リソースすなわち、ＲＡＣＨ（Random Access Channel）および共通Ｅ−ＤＣＨ（Enhanced Dedicated Channel）が、アップリンク送信を実行するためにユーザ機器から使用可能である。これらの共通リソースは、共有チャネルまたは共通チャネルと称する場合があり、アップリンクでは、共通アップリンク・チャネルと称する場合がある。
【００２３】
共通Ｅ−ＤＣＨリソースは、通常、データ・トラフィックの高データ・レート・バーストに使用される。１セル内で使用可能な、３２個までの共通Ｅ−ＤＣＨリソースがある。共通Ｅ−ＤＣＨを使用することを望むユーザ機器は、共通Ｅ−ＤＣＨリソースについて所与のセル内の他のユーザ機器に連絡しなければならない。そのプロセスは、ＲＡＣＨについて競争するセル内のユーザ機器のプロセスに類似する。Ｅ−ＤＣＨを割り振られた後に、ユーザ機器は、送信を行う。ユーザ機器は、送信を終了した後に、セル内の他のユーザ機器がＥ−ＤＣＨリソースを利用できるようにするために、たとえばそのバッファを空にすることによって、Ｅ−ＤＣＨリソースを解放するように動作可能である。
【００２４】
第１の態様は、共通無線チャネルの競合の度合が、隣接する無線アクセス・ノード、たとえば基地局ｅＮｏｄｅＢまたはフェムト基地局のある度合の複雑さを引き起こす可能性があることを認め、無線カバレージのオーバーラップする区域内で動作するユーザ機器から使用可能なオプションを最小にすることを、したがって、オーバーラップする領域内で行われる送信が復号可能である尤度を高めることを目指すものである。
【００２５】
いくつかの態様によれば「ＳＨＯプリアンブル・シグネチャ」および対応する共通Ｅ−ＤＣＨリソースの１つまたは複数のセットの割当が、特にオーバーラップする領域内で動作するユーザ機器について行われる。関連する隣接するセルは、関連するＳＨＯプリアンブル・シグネチャおよび対応する共通Ｅ−ＤＣＨリソースの知識を用いて構成される。
【００２６】
一実施形態では、本方法は、すべての使用可能な共有無線チャネルのサブセットを、第１のネットワーク・アクセス・ノードと隣接ネットワーク・アクセス・ノードとの間のオーバーラップする無線カバレージ領域内で開始される無線通信のために割り振られた少なくとも１つの所定の共有無線チャネルに割り振ることを含む。したがって、使用可能な共有チャネルのうちのいくつかを、オーバーラップする領域での使用のために割り振られないものとし、ネットワーク・アクセス・ノードによってサポートされるセルのオーバーラップしない領域内での通信に使用可能な共有チャネルの一部または大多数を残すことができる。
【００２７】
一実施形態では、本方法は、第１のネットワーク・アクセス・ノードがサービング・セルをサポートし、少なくとも１つの隣接ネットワーク・アクセス・ノードが潜在的なターゲット・セルをサポートする時に、第１のネットワーク・アクセス・ノードと隣接ネットワーク・ノードとの間のオーバーラップする無線カバレージ領域内で開始される無線通信のための第１の少なくとも１つの所定の共有無線チャネルを判定するステップと、前記ネットワーク・アクセス・ノードが潜在的なターゲット・セルをサポートし、少なくとも１つの隣接ネットワーク・アクセス・ノードがサービング・セルをサポートする時に、第１のネットワーク・アクセス・ノードと少なくとも１つの隣接ネットワーク・アクセス・ノードとの間のオーバーラップする無線カバレージ領域内で開始される無線通信のための第２の少なくとも１つの所定の共有無線チャネルを判定するステップとを含む。
【００２８】
したがって、いくつかの実施形態では、各ＳＨＯまたは「オーバーラップ」領域は、所定の共有無線チャネルの異なるセットまたは所定のＳＨＯプリアンブルおよび／もしくは対応するＥ−ＤＣＨリソースを割り振られる。制御ネットワーク・ノード、たとえばＲＮＣによって決定された後に、所定の共有無線チャネルまたはＳＨＯプリアンブルのリストを、オーバーラップ領域ごとに、各無線アクセス・ノードによってブロードキャストすることができる。たとえば、ユーザ機器に対してサービング・セルとして動作する第１のセル、セル１は、第２のセル、セル２とのオーバーラップ領域についてＳＨＯプリアンブルの１つのリストを、セル３とのオーバーラップ領域について別のリストをブロードキャストする。
【００２９】
一実施形態では、本方法は、サービング・セルをサポートする第１のワーク・アクセス・ノードおよび潜在的なターゲット・セルをサポートする少なくとも１つの隣接ネットワーク・アクセス・ノードの対ごとに、第１の少なくとも１つの所定の共有無線チャネルおよび第２の少なくとも１つの所定の共有無線チャネルの対を判定するステップを含む。そのような実施形態によれば、たとえば、所与のオーバーラップ領域に関する所定の共有無線チャネルまたはＳＨＯプリアンブルのリストは、サービング・セルに依存して異なる。たとえば、セル１とのオーバーラップまたはＳＨＯ領域に関するセル２によってブロードキャストされるＳＨＯプリアンブルのリストは、通常、セル２とのＳＨＯ領域に関するセル１によってブロードキャストされるＳＨＯプリアンブルのリストとは異なる。したがって、あるセルをサポートする１つのネットワーク・アクセス・ノードだけが、各リソースの割当の制御を有することができ、これは、たとえば隣接するセルがプリアンブルを検出できず、したがって対応するＥ−ＤＣＨリソースが既にオーバーラップ領域内のユーザ機器によって使用されていることを知らないままになる場合に発生する可能性がある問題を回避するのを助ける。
【００３０】
一実施形態では、第１のネットワーク・アクセス・ノードおよび隣接ネットワーク・アクセス・ノードに少なくとも１つの所定の共有無線チャネルの表示を通信するステップは、少なくとも１つの所定の共有無線チャネル上で行われる通信をどのように復号すべきかの表示を含む。したがって、ネットワーク・アクセス・ノードに送信される情報は、オーバーラップ領域内で行われる送信の復号を、それが主にアタッチされるネットワーク・アクセス・ノードにかかわりなく、可能にする。たとえば、諸実施形態によれば、所定の共有無線チャネルおよび／またはＳＨＯ  Ｅ−ＤＣＨリソースは、先験的に選択され、これらのリソースの復調のためのすべての情報、たとえばスクランブリング符号、Ｆ−ＤＰＣＨオフセットは、隣接するセルに送信される。
【００３１】
一実施形態では、所定の共有無線リソースを、共通Ｅ−ＤＣＨリソースとすることができる。これらの共有チャネルを、Ｃｅｌｌ＿ＦＡＣＨ状態で動作するユーザ機器に割り振ることができる。
【００３２】
第２の態様は、コンピュータ上で実行された時に、第１の態様の方法を実行するように動作可能なコンピュータ・プログラム製品を提供する。
【００３３】
第３の態様は、それぞれが無線カバレージの領域をサポートする複数のネットワーク・アクセス・ノードを含む無線通信ネットワーク内でセル間干渉を減らすように動作可能なネットワーク制御ノードであって、第１のネットワーク・アクセス・ノードについて、少なくとも１つの隣接ネットワーク・アクセス・ノードを発見するように動作可能な発見論理と、第１のネットワーク・アクセス・ノードと隣接ネットワーク・アクセス・ノードとの間のオーバーラップする無線カバレージ領域内で開始される無線通信のために少なくとも１つの所定の共有無線チャネルを割り振るように動作可能な割振り論理と、少なくとも１つの所定の共有無線チャネルの表示を第１のネットワーク・アクセス・ノードおよび隣接ネットワーク・アクセス・ノードに通信するように動作可能な通進論理とを含むネットワーク制御ノードを提供する。
【００３４】
第３の態様によれば、第１の態様の方法の実施を監督するように動作可能なネットワーク制御ノード、たとえば、フェムト・ゲートウェイまたは類似物があるものとすることができる。
【００３５】
一実施形態では、ネットワーク制御ノードは、すべての使用可能な共有無線チャネルのサブブセットを、第１のネットワーク・アクセス・ノードと隣接ネットワーク・アクセス・ノードとの間のオーバーラップする無線カバレージ領域内で開始される無線通信のために割り振られた少なくとも１つの所定の共有無線チャネルに割り振るように動作可能な割振り論理を含む。
【００３６】
一実施形態では、ネットワーク制御ノードは、第１のネットワーク・アクセス・ノードがサービング・セルをサポートし、少なくとも１つの隣接ネットワーク・アクセス・ノードが潜在的なターゲット・セルをサポートする時に、第１のネットワーク・アクセス・ノードと少なくとも１つの隣接ネットワーク・ノードとの間のオーバーラップする無線カバレージ領域内で開始される無線通信のための第１の少なくとも１つの所定の共有無線チャネルを判定し、第１のネットワーク・アクセス・ノードが潜在的なターゲット・セルをサポートし、少なくとも１つの隣接ネットワーク・アクセス・ノードがサービング・セルをサポートする時に、第１のネットワーク・アクセス・ノードと少なくとも１つの隣接ネットワーク・アクセス・ノードとの間のオーバーラップする無線カバレージ領域内で開始される無線通信のための第２の少なくとも１つの所定の共有無線チャネルを判定するように動作可能な判定論理を含む。
【００３７】
一実施形態では、ネットワーク制御ノードは、サービング・セルをサポートする第１のワーク・アクセス・ノードおよび潜在的なターゲット・セルをサポートする少なくとも１つの隣接ネットワーク・アクセス・ノードの対ごとに、第１の少なくとも１つの所定の共有無線チャネルおよび第２の少なくとも１つの所定の共有無線チャネルの対を判定するように動作可能な判定論理を含む。
【００３８】
一実施形態では、ネットワーク制御ノードは、少なくとも１つの所定の共有無線チャネル上で行われる通信をどのように復号すべきかの表示を通信するように動作可能な通信論理を含む。
【００３９】
第４の態様は、それぞれが無線カバレージの領域をサポートする複数のネットワーク・アクセス・ノードを含む無線通信ネットワーク内でセル間干渉を制御する方法であって、オーバーラップする無線カバレージ領域内で開始される無線通信の少なくとも１つの所定の共有無線チャネルを判定するステップと、所定の共有無線チャネル上での通信ネットワーク内の通信のために準備するステップとを含む方法を提供する。
【００４０】
第４の態様は、ネットワーク内の無線アクセス・ノード、たとえば基地局が、第１の態様による方法を実施するためにネットワーク制御ノードから情報を与えられることを認めるものである。第４の態様は、基地局を、所定の共有無線チャネルに気付いた後に、これらの所定の共有チャネルで発生する通信の準備をするために処置を講じるように動作可能とすることができることを認めるものである。したがって、セルをサポートするネットワーク・アクセス・ノードが、所定の共有無線チャネルの使用を検出し、または、たとえばＳＨＯプリアンブル・シグネチャの所定のセットのうちの１つがそのセル内でＵＥによって送信されることを検出する時に、そのネットワーク・アクセス・ノードは、対応するＥ−ＤＣＨの使用を許可することができ、あるいは、異なるＥ−ＤＣＨリソースを割り当てることができる。各セルは、その隣接セルによるオーバーラップ領域内での使用のために構成されたプリアンブルを検索するように構成され、隣接セルが異なるサービング・セルからのＳＨＯプリアンブルを検出する時には、隣接セルは、対応するＥ−ＤＣＨの復号を試みることに進む。
【００４１】
一実施形態によれば、準備するステップは、オーバーラップする無線カバレージ領域内から発する共有無線チャネルに関する要求に少なくとも１つの所定の共有無線チャネルを割り振るステップを含む。したがって、ネットワーク・アクセス・ノードを、オーバーラップ領域内に配置されたリソースを要求するユーザ機器に所定の共有チャネルが割り振られ、したがって所定のリソースが割り振られ（使用可能な場合に）ることを保証するように構成することができ、したがって、オーバーラップ領域での予測可能な動作を可能にし、隣接セルが所定の共有無線チャネルをも知るＳＨＯ技法を容易にする。
【００４２】
一実施形態では、要求は、無線通信に関する少なくとも１つの所定の共有無線チャネルの要求を含む。したがって、ユーザ機器に、カバレージのオーバーラップ領域内にある時に、理想的にはその上で通信が行われる所定の共有チャネルについて知らせることもできる。そのような割振りを知っているユーザ機器を、それが無線カバレージのそのようなオーバーラップ領域内で動作しつつあるとユーザ機器が判定する時にこれらのチャネル上で通信が発生することを要求するように動作可能とすることができる。したがって、ユーザ機器が、たとえば、そのサービング・セルのパイロット信号に対する相対的な、隣接セルの測定されたパイロット信号が、所定の「オーバーラップ」判断基準を満足すると判定することによって、それがオーバーラップする領域内で動作しつつあると判定する場合に、そのユーザ機器は、ＳＨＯプリアンブル・シグネチャの所定のセットからＳＨＯプリアンブルを選択するように動作可能とすることができる。
【００４３】
一実施形態では、本方法は、無線通信の要求された少なくとも１つの所定の共有無線チャネルが使用のために使用可能であるかどうかを判定し、そうでない場合に、少なくとも１つの所定の共有無線チャネルのうちの別の１つを割り振るステップを含む。したがって、複数の所定の共有無線チャネルを、所与のオーバーラップ領域での使用のために割り振ることができる。要求されたチャネルが使用不能である場合には、基地局を、非オーバーラップ区域で使用されつつあるものを優先して、所定の「オーバーラップ共有チャネル」の別のチャネルを選択するように動作可能とすることができる。そのような方法は、通信ネットワーク内で隣接基地局の間でＳＨＯ体制を利用する機会を増やせることを保証することを試みるものである。
【００４４】
いくつかの実施形態で、サービング・セルをサポートする基地局が、ＳＨＯプリアンブル・シグネチャのうちの１つまたは所定のオーバーラップ共有チャネルに関する要求がそのセル内のユーザ機器によって送信されるのを検出する場合に、その基地局は、対応するＥ−ＤＣＨの使用を許可することができ、あるいは、異なるＥ−ＤＣＨリソースを割り当てることができる。セルをサポートする各基地局は、その隣接セルによるオーバーラップ領域での使用のために構成されたプリアンブルを検索するように構成される。したがって、隣接セルが、異なるサービング・セルからのＳＨＯプリアンブルを検出する時に、隣接セルは、対応するＥ−ＤＣＨを検出することを試みることに進む。
【００４５】
一実施形態では、本方法は、無線通信の要求された少なくとも１つの所定の共有無線チャネルが使用のために使用可能であるかどうかを判定し、少なくとも１つの所定の共有無線チャネルのいずれもが使用可能ではない場合に、非所定の共有無線チャネルを割り振るステップを含む。したがって、非所定の無線チャネルの割当は、隣接無線アクセス・ネットワーク・ノードがオーバーラップ領域内のユーザ機器によって行われる送信を復号することをむずかしくする可能性がある。たとえば、特定の実施形態によれば、サービング・セルが、所定のＳＨＯプリアンブル・リスト内のＳＨＯプリアンブルに異なるＥ−ＤＣＨリソースを割り当てることを選択する場合には、隣接セルは、どのリソースが割り当てられたのかを知らず、データを復号することがむずかしくなる可能性がある。たとえば、信号を復号することを試みるために、受信するセルは、並列に、すべての可能なＳＨＯ  Ｅ−ＤＣＨスクランブリング符号を比較しなければならない可能性がある。したがって、異なるＥ−ＤＣＨリソースを割り当てることを選択するセルが、非ＳＨＯ  Ｅ−ＤＣＨリソースを割り当てることを可能とすることができ、これによって、その送信が実際にはＳＨＯ手順に従って受信されつつあるのではないユーザ機器によるＳＨＯ  Ｅ−ＤＣＨリソースの「混乱」が回避される。
【００４６】
一実施形態では、準備するステップは、所定の共有無線チャネル上で送信される情報を復号する準備をするステップを含む。したがって、各ネットワーク・アクセス・ノードを、異なるネットワーク・アクセス・ノードによってサポートされる隣接セルとのオーバーラップ領域内のユーザによって行われる送信を受信し、復号するように事前に構成されるように動作可能とすることができ、したがって、ネットワーク内のある度合のＳＨＯ動作が可能になり、不必要な干渉が減らされる。たとえば、特定の実施形態では、各セルは、その隣接セルによるオーバーラップ領域での使用のために構成されたプリアンブルを検索するように構成され、隣接セルが異なるサービング・セルからのＳＨＯプリアンブルを検出する時には、隣接セルは、対応するＥ−ＤＣＨの復号を試みることに進む。
【００４７】
第５の態様は、コンピュータ上で実行された時に、第４の態様の方法を実行するように動作可能なコンピュータ・プログラム製品を提供する。
【００４８】
第６の態様は、それぞれが無線カバレージの領域をサポートする複数のネットワーク・アクセス・ノードを含む無線通信ネットワーク内でセル間干渉を管理するように動作可能なネットワーク・アクセス・ノードであって、オーバーラップする無線カバレージ領域内で開始された無線通信の少なくとも１つの所定の共有無線チャネルを判定するように動作可能な判定論理と、所定の共有無線チャネル上で通信ネットワーク内で通信する準備をするように動作可能な準備論理とを含むネットワーク・ノードを提供する。
【００４９】
第６の態様のネットワーク・ノードは、ユーザ機器にネットワークへのアクセスを提供する任意の適当なネットワーク・アクセス・ノードとすることができ、たとえば、基地局、小セル基地局、ｅＮｏｄｅＢ、および類似物を含むことができる。
【００５０】
一実施形態では、ネットワーク・アクセス・ノードは、オーバーラップする無線カバレージ領域内から発する共有無線チャネルに関する要求に少なくとも１つの所定の共有無線チャネルを割り振るように動作可能な準備論理をさらに含む。
【００５１】
一実施形態では、要求は、無線通信に関する少なくとも１つの所定の共有無線チャネルの要求を含む。
【００５２】
一実施形態では、ネットワーク・アクセス・ノードは、無線通信の要求された少なくとも１つの所定の共有無線チャネルが使用のために使用可能であるかどうかを判定し、そうでない場合に、少なくとも１つの所定の共有無線チャネルのうちの別の１つを割り振るように動作可能な判定論理をさらに含む。
【００５３】
一実施形態では、ネットワーク・アクセス・ノードは、無線通信の要求された少なくとも１つの所定の共有無線チャネルが使用のために使用可能であるかどうかを判定し、少なくとも１つの所定の共有無線チャネルのいずれもが使用可能ではない場合に、非所定の共有無線チャネルを割り振るように動作可能な判定論理をさらに含む。
【００５４】
一実施形態では、ネットワーク・アクセス・ノードは、所定の共有無線チャネル上で送信される情報を復号するように動作可能な準備論理をさらに含む。
【００５５】
第７の態様は、それぞれが無線カバレージの領域をサポートする複数のネットワーク・アクセス・ノードを含む無線通信ネットワーク内で共有無線チャネルを要求する方法であって、第１のネットワーク・アクセス・ノードと隣接ネットワーク・アクセス・ノードとの間のオーバーラップする無線カバレージ領域内で開始される無線通信に関する少なくとも１つの所定の共有無線チャネルの表示を受信するステップと、通信がオーバーラップする無線カバレージ領域内で開始されなければならないと判定するステップと、その上でネットワーク内の通信を開始すべき少なくとも１つの所定の共有無線チャネルの割振りを要求するステップとを含む方法を提供する。
【００５６】
第７の態様は、ネットワーク内で動作するユーザ機器に、オーバーラップ領域内で動作する場合にその上で通信を要求すべき所定の共有無線チャネルの詳細を与えることが、ネットワークを介して経験される干渉の減少を可能にすることができることを認めるものである。たとえば、ユーザ機器が、たとえば、そのサービング・セルのパイロット信号に対する相対的な、隣接セルの測定されたパイロット信号が、所定の「オーバーラップ」判断基準を満足すると判定することによって、それがオーバーラップする領域内で動作しつつあると判定する場合に、そのユーザ機器は、ＳＨＯプリアンブル・シグネチャの所定のセットからＳＨＯプリアンブルを選択し、あるいは、所定の共有無線チャネルのうちの１つで行われる通信を要求するように動作可能とすることができる。
【００５７】
一実施形態では、本方法は、隣接ネットワーク・アクセス・ノード制御チャネルの詳細を受信するステップを含む。したがって、いくつかの実施形態によれば、ＳＨＯプリアンブルおよび対応するＥ−ＤＣＨリソースまたは所定の共有無線チャネルの所与の所定のセットについて、ユーザ機器は、たとえば、ブロードキャスト・シグナリングによって、ユーザ機器が隣接セルの制御チャネルを復号するように動作可能になるようにするために、これらの制御チャネル（たとえば、Ｅ−ＨＩＣＨ、Ｅ−ＲＧＣＨ、Ｆ−ＤＰＣＨ）の詳細を与えられる。諸実施形態では、各ＳＨＯ  Ｅ−ＤＣＨリソースは、対応する隣接セル制御チャネルのセットに関連する。これらの制御チャネルを使用して、隣接セルは、ＣＥＬＬ＿ＤＣＨでＳＨＯで動作するユーザ機器に似た形で、セル間ユーザ機器の送信を制御することができる。その結果、セルは、特定のユーザ機器からの送信（または、むしろ共通ＳＨＯ  Ｅ−ＤＣＨ）をターゲットにすることによって、アップリンク干渉を制御することができる。
【００５８】
第８の態様は、コンピュータ上で実行された時に、第７の態様の方法を実行するように動作可能なコンピュータ・プログラム製品を提供する。
【００５９】
第９の態様は、それぞれが無線カバレージの領域をサポートする複数のネットワーク・アクセス・ノードを含む無線通信ネットワーク内で共有無線チャネルを要求するユーザ機器であって、第１のネットワーク・アクセス・ノードと隣接ネットワーク・アクセス・ノードとの間のオーバーラップする無線カバレージ領域内で開始される無線通信に関する少なくとも１つの所定の共有無線チャネルの表示を受信するように動作可能な受信論理と、通信がオーバーラップする無線カバレージ領域内で開始されなければならないと判定するように動作可能な判定論理と、その上でネットワーク内の通信を開始すべき少なくとも１つの所定の共有無線チャネルの割振りを要求するように動作可能な要求論理とを含むユーザ機器を提供する。
【００６０】
一実施形態では、受信論理は、隣接ネットワーク・アクセス・ノード制御チャネルの詳細を受信するように動作可能である。
【００６１】
さらなる特定のおよび好ましい態様を、添付の独立請求項および従属請求項に示す。従属請求項の特徴を、適宜、および請求項に明示的に示されたもの以外の組合せで、独立請求項の特徴と組み合わせることができる。
【００６２】
本発明の諸実施形態を、これから添付図面を参照してさらに説明する。
【図面の簡単な説明】
【００６３】
【図１】一実施形態による無線遠隔通信ネットワークの主要構成要素を示す図である。
【図２】一実施形態によるソフト・ハンドオーバの実施態様の例を概略的に示す図である。
【発明を実施するための形態】
【００６４】
図１に、一実施形態による無線遠隔通信システム１０の主要構成要素を概略的に示す。ユーザ機器５０は、無線遠隔通信システムを通ってローミングする。無線カバレージの区域３０をサポートする基地局２０が設けられる。複数のそのような基地局２０が、ユーザ機器５０にカバレージの広い区域を提供するために設けられ、地理的に分散される。ユーザ機器が、基地局２０によってサービスされる区域内にある時に、通信を、ユーザ機器と基地局との間で関連する無線リンクを介して確立することができる。各基地局は、通常、サービスの地理的区域３０内で複数のセクタをサポートする。
【００６５】
通常、基地局内の異なるアンテナが、各関連するセクタをサポートする。各基地局２０は、複数のアンテナを有する。図１が、通常の通信システムに存在し得るユーザ機器および基地局の総数の小さいサブセットを示すことを了解されたい。
【００６６】
無線通信システムは、無線ネットワーク制御装置（ＲＮＣ）４０によって管理される。ＲＮＣ  ４０は、バックホール通信リンク６０を介して複数の基地局と通信することによって、無線遠隔通信システムの動作を制御する。ＲＮＣは、各基地局を介してユーザ機器５０とも通信し、したがって、無線通信ネットワーク１０全体の１領域を効果的に管理する。ユーザ機器は、アップリンク・チャネルまたは逆方向チャネルと称するチャネル上でデータおよび情報を送信することによって基地局２０と通信し、基地局２０は、ダウンリンク・チャネルまたは順方向チャネルと称するチャネル上でデータおよび情報を送信することによってユーザ機器５０と通信する。
【００６７】
いくつかのセルラ・システム、たとえばＵＭＴＳシステムでは、「ソフト・ハンドオーバ」（ＳＨＯ）と称する機能性を実施することができる。そのようなシステムによれば、ユーザ機器または他のモバイル端末によってアップリンク・チャネルを使用して送信されるータ・トラフィックを、複数の基地局で受信することができる。これらの基地局を、ＵＭＴＳでは「ｎｏｄｅ  Ｂ」と称する場合もある。さらに、ソフト・ハンドオーバ技法を利用する場合に、ユーザ機器は、ダウンリンクで複数の基地局からデータを受信し、組み合わせることができる。すなわち、ユーザ機器は、複数の基地局からの送信を受信するかリスンすることができ、複数の基地局は、ユーザ機器によって行われる送信をリスンすることができる。これは、ユーザ機器によって行われる送信が、隣接セルによって干渉とみなされないことを含む複数の利益を有する。そのようなソフト・ハンドオーバ技法を実施できるためには、ユーザ機器および関連するｎｏｄｅＢが、それらがお互いと通信することを許可されることを知ることが必要である。ユーザ機器は、その送信を聞くことができ、それがリスンすることができるｎｏｄｅＢについて知らされる。基地局のリストは、そのユーザ機器の「アクティブ・セット」になると考えられる。
【００６８】
通常、ソフト・ハンドオーバ体制を実施する場合には、まず、無線リンクが、ユーザ機器と単一の基地局との間でセット・アップされる。ソフト・ハンドオーバ体制への侵入が望ましいと判定される場合には、たとえば使用されるスクランブリング符号を含む、ユーザ機器から単一の基地局への既存のアップリンク送信の構成に関する必要な情報を、第１の基地局から無線ネットワーク制御装置（ＲＮＣ）を介して、ユーザ機器のアクティブ・セットに追加される第２のｎｏｄｅ  Ｂに渡すことができる。第２のｎｏｄｅ  Ｂに渡されるこの情報は、第２のｎｏｄｅ  Ｂがその動作をユーザ機器のアップリンク送信に同期させることを可能にする。第２のｎｏｄｅ  Ｂがアップリンク同期化を得た後に、第２のｎｏｄｅ  Ｂは、その送信タイミングが第１の基地局とユーザ機器との間の既存のダウンリンクの受信タイミングの近くでユーザ機器で受信されように設計されるように、ユーザ機器との新しいダウンリンクをセット・アップすることができる。
【００６９】
ソフト・ハンドオーバ技法の使用は、複数の基地局がユーザ機器と通信することを可能にすることによって、利得につながるマクロ・ダイバーシティを介する選択的組合せを入手し（ソフト・コンビネーションも利得につながる）、基地局によってサポートされる地理的カバレージ領域のエッジ動作するユーザ機器によってセルの間で引き起こされる干渉を最小にすることが可能なので、改善されたネットワーク性能につながる可能性がある。
【００７０】
上で説明したように、ソフト・ハンドオーバのプロセスは、ネットワークがより効率的に動作する重要な機会を提供する。
【００７１】
ユーザ機器は、たとえばＵＭＴＳ遠隔通信ネットワーク内で、さまざまなモードで動作する可能性がある。セル内のユーザ機器の最初の電源投入時には、ユーザ機器は、通常は「アイドル・モード」で動作する。ユーザ機器は、基地局に同期化し、それ自体を基地局にアタッチした後に、radio resource control（ＲＲＣ）接続を得、接続モードであると言われる。アイドル・モードのユーザ機器は、radio resource control接続を有しない。ユーザ機器が、ＲＲＣ接続される場合に、そのユーザ機器は、５つの異なるＲＲＣ状態すなわちｃｅｌｌ＿ＤＣＨ状態、ｃｅｌｌ＿ＦＡＣＨ状態、ｅｎｈａｎｃｅｄ  ｃｅｌｌ＿ＦＡＣＨ状態、ｃｅｌｌ＿ＰＣＨ状態、またはＵＲＡ＿ＰＣＨ状態のうちの１つであることができる。
【００７２】
ユーザ機器は、通常、そのトラフィックが多い時にはｃｅｌｌ＿ＤＣＨ状態に移動する。というのは、そのような状態で、ユーザ機器に、その上で基地局にデータを送信し基地局からデータを受信する専用チャネルが割り振られるからである。ＵＭＴＳネットワーク・アーキテクチャでは、ユーザ機器は、大量のトラフィックを有すると期待される時に、ｃｅｌｌ＿ＤＣＨ状態であることができる。ｃｅｌｌ＿ＤＣＨ状態での動作は、通常、バッテリ電力を大量に要求する。
【００７３】
歴史的に、ユーザ機器は、ｃｅｌｌ＿ＤＣＨ状態ではない時に、アップリンク上でrandom access channel（ＲＡＣＨ）を使用して動作し、基地局は、forward access channel（ＦＡＣＨ）を使用してユーザ機器と通信するように動作する。ＲＡＣＨおよびＦＡＣＨは、非常に小さいデータ搬送能力を有し、ＷＣＤＭＡまたはＵＭＴＳシステムでは、ユーザ機器および基地局が、ユーザ機器がｃｅｌｌ＿ＦＡＣＨ状態である時にダウンリンク上およびアップリンク上の共有されるまたは共通のリソースを使用して、動作し、その間でデータ・トラフィックを通信する能力が、導入された。アップリンクでは、データ・トラフィック送信は、enhanced dedicated channelを使用して行われ、ダウンリンクでは、high speed downlink shared channel上で送信される。そのようなチャネルは、ユーザ機器がｃｅｌｌ＿ＤＣＨ状態に入る必要なしに、ユーザ機器および基地局が、ある時間の間にそれらの間でより長くより大きいデータ・パケットを通信し、送信することを可能にする。そのような配置は、ユーザ機器が、より専用のＲＲＣ状態に遷移せずにｃｅｌｌ＿ＦＡＣＨ状態により長く留まることを可能にし、これによって、電力消費節約を可能にする。
【００７４】
データ・トラフィックが、性質において特にバースト的になる場合があり、たとえば、需要は、ユーザ機器がウェブサイト・ページをロードする間には高いが、ユーザがそのウェブサイトを読んでいる間には実質的に０になる可能性があることを了解されたい。そのようなバースト的トラフィックに関するフルｃｅｌｌ＿ＤＣＨでの動作は、バッテリについて特に浪費的になる可能性があり、したがって、より専用の状態に入らずにバースト的トラフィックを処理する能力は、有益である。
【００７５】
前に説明したソフト・ハンドオーバ技法は、ユーザ機器がｃｅｌｌ＿ＤＣＨ状態で動作しつつある時の使用に特に適すると判定された。説明したように、そのような状態では、データ送信は、通常、長時間にわたって続く可能性が高く、したがって、ＲＮＣを介するメッセージングを介するソフト・ハンドオーバに必要な関係のセット・アップは、全体的なデータ・トラフィック・スループットがネットワークを介して大幅に高められる可能性があるので、要する時間に見合った価値があると考えられた。
【００７６】
しかし、ｃｅｌｌ＿ＦＡＣＨ状態で動作する時に、ユーザ機器へおよびこれからのデータ送信は、通常、短いバーストの特徴がある。したがって、ソフト・ハンドオーバをセット・アップするためにＲＮＣを介してユーザ機器および基地局から情報を渡すことによってこうむる相対的に長い遅延は、通常、ｃｅｌｌ＿ＦＡＣＨ状態で発生するデータ・バーストが終了する前にソフト・ハンドオーバをセット・アップし、使用するためには長すぎるはずである。その結果、ソフト・ハンドオーバは、通常、ユーザ機器がｃｅｌｌ＿ＦＡＣＨ状態で動作する間にはサポートされない。
【００７７】
ｃｅｌｌ＿ＦＡＣＨで動作するユーザ機器に関するソフト・ハンドオーバのサポートの欠如は、ユーザ機器がｃｅｌｌ＿ＤＣＨ状態で動作しつつある時にユーザ機器および基地局が達成するものより悪いシステム性能をもたらす可能性がある。これは、ｃｅｌｌ＿ＦＡＣＨで動作する時にマクロ・ダイバーシティを介する選択組合せがなく、より大きいアップリンク送信電力要件につながるからである。さらに、ｃｅｌｌ＿ＦＡＣＨ状態で動作する場合に、電力制御コマンドは、ユーザ機器では、１つの基地局から受信されるのみである。したがって、サービング・セルによってサポートされるカバレージ・エリアのエッジ付近のユーザ機器は、そのユーザ機器に電力送信を減らすように要求することができない隣接セルへの大きい干渉を引き起こす可能性があり、電力送信を減らすように要求できる場合であっても、隣接セルがアップリンク信号の受信を助けてもいるようになるまではそれを行わないことが適当である。というのは、隣接セルによって指示される電力の削減が、そのサービング・セル内のユーザ機器によって達成される有効データ・レートを下げる可能性があるからである。
【００７８】
ＣＥＬＬ＿ＦＡＣＨモードで動作しつつある場合には、２タイプの共通リソースすなわち、ＲＡＣＨ（Random Access Channel）および共通Ｅ−ＤＣＨ（Enhanced Dedicated Channel）が、アップリンク送信を実行するためにユーザ機器から使用可能である。
【００７９】
共通Ｅ−ＤＣＨリソースは、通常、データ・トラフィックの高データ・レート・バーストに使用される。１セル内で使用可能な、３２個までの共通Ｅ−ＤＣＨリソースがある。共通Ｅ−ＤＣＨを使用することを望むユーザ機器は、共通Ｅ−ＤＣＨリソースについて所与のセル内の他のユーザ機器に連絡しなければならない。そのプロセスは、ＲＡＣＨについて競争するセル内のユーザ機器のプロセスに類似する。Ｅ−ＤＣＨを割り振られた後に、ユーザ機器は、送信を行う。ユーザ機器は、送信を終了した後に、セル内の他のユーザ機器がＥ−ＤＣＨリソースを利用できるようにするために、たとえばそのバッファを空にすることによって、Ｅ−ＤＣＨリソースを解放するように動作可能である。
【００８０】
ＣＥＬＬ＿ＦＡＣＨモードで動作するユーザ機器に関するセルの間のモビリティは、セル再選択プロセスによって実行される。セル再選択プロセスによれば、ユーザ機器は、潜在的なターゲット・セルからの信号の測定を実行し、これらの潜在的なターゲット・セルからの信号を現在のサービング・セルからの信号と比較するように動作可能である。信号の測定が、潜在的なターゲット・セルからの信号が再選択判断基準を満足することを示す場合には、ユーザ機器は、ターゲット・セルに再選択するように動作可能である。ユーザ機器がＣＥＬＬ＿ＤＣＨで動作しつつある時に発生する「ハンドオーバ」プロセスとは異なって、セル再選択が、ＵＥによって実行され、コア・ネットワークによって指示されるのも監督されるのでもないことを理解されたい。
【００８１】
隣接セルによって提供されるカバレージのオーバーラップ領域内で動作するユーザ機器によって行われる送信は、通常、これらの隣接するまたは近接するセル内で干渉とみなされる。
【００８２】
ｃｅｌｌ＿ＦＡＣＨモードで共通Ｅ−ＤＣＨを使用して動作するユーザ機器は、セル再選択を実行するようには動作しない。したがって、その状態で動作するユーザ機器が、隣接セルのカバレージ領域に移動することができるが、それが移動したカバレージ領域を有する隣接するセルが、そのサービング・セルによって割り振られた共通Ｅ−ＤＣＨを有するので、その隣接するセルを再選択できず、または再選択しないことが、可能である。
【００８３】
たとえば、ユーザ機器を、セル２とのオーバーラップ領域で動作しつつある間に、セル１にアタッチし、共通Ｅ−ＤＣＨリソースを獲得することができる。ユーザ機器は、隣接するセル２に向かって移動し、ある点で、所定のセル再選択判断基準が満足されるが、ユーザ機器は、そのサービング・セルすなわちセル１からの共通Ｅ−ＤＣＨリソースを有するので、セル再選択を実行するように動作可能ではない。ＵＥは、セル２のカバレージ領域の中へ移動し続ける。ユーザ機器が、セル１をサポートする基地局からより遠いので、そのサービング・セルであるセル１と通信し続けるために非常に高い電力で送信する必要があることを理解されたい。
【００８４】
さらに、そのような高出力送信が、通常、セル２内で過剰な干渉を引き起こすはずであることを了解されたい。ＣＥＬＬ＿ＦＡＣＨは、歴史的に一時的状態であり、非常に低いトラフィック・アクティビティに関して使用されると仮定されてきたので、説明されたシナリオは、ありそうにないと考えられた。しかし、ＣＥＬＬ＿ＦＡＣＨが、通常はスマートホン使用のバースト的トラフィックを処理するのに使用され、スマートホン使用が重要性を増すと予想されるので、より多くのユーザ機器が、より長い期間にわたってＣＥＬＬ＿ＦＡＣＨで動作し、性質においてそれでもバースト的ではあるが、より大量のデータ・トラフィックを作る。これは、前に説明したシナリオをよりありそうなものにし、結果の干渉を特にネットワークの全体的な性能にとって有害にする。
【００８５】
専用無線状態ＣＥＬＬ＿ＤＣＨで動作する場合に、ネットワークは、オーバーラップする領域内で送信するユーザ機器に関してソフト・ハンドオーバ（ＳＨＯ）技法を使用するように動作可能である。ソフト・ハンドオーバ技法によれば、各ユーザ機器送信を、隣接セルによって復号可能な信号として受信することもできる。さらに、隣接セルは、ユーザ機器の送信およびグラントを制御することができる。したがって、上で説明した干渉を、ユーザ機器がｃｅｌｌ＿ＤＣＨ状態で動作している間に管理することができる。ＣＥＬＬ＿ＤＣＨでは、ユーザ機器は、専用チャネルを使用して動作し、したがって、ＳＨＯは、その専用チャネル上で実行される。さらに、ユーザ機器は、ｃｅｌｌ＿ＤＣＨ状態である時に、不断の測定レポートをネットワークに提供するように動作する。これは、ネットワークが、ユーザ機器ごとにＳＨＯに参加するように動作できる識別されたセルのリストを含む「アクティブ・セット」を識別することを可能にする。ネットワークは、通常、ユーザ機器アクティブ・セット内のユーザ機器の非サービング・セルに、ユーザ機器Ｅ−ＤＣＨ（専用）接続上で行われる送信を復号するためにこれらの非サービング・セルに必要な復調情報について知らせるように動作可能である。その専用接続は、送信中に変更されないままになり、長時間にわたって保持される可能性が高い。
【００８６】
対照的に、ＣＥＬＬ＿ＦＡＣＨのリソースは共通であり、１つのユーザ機器が、その接続の持続時間全体にわたって異なるＥ−ＤＣＨリソースをつかむことができ、通信の各短いバーストは、短い持続時間を有するが、隣接セルへの干渉を引き起こすのには十分に長い。
【００８７】
さらに、Ｃｅｌｌ＿ＦＡＣＨモードで動作している間には、ネットワークに送信されるユーザ機器からの測定レポートはないが、ネットワークに送信される測定ではなく、セル再選択（ユーザ機器によって行われる測定に依存する）が、ＵＥによって自律的に実行される。したがって、ネットワークが、ＣＥＬＬ＿ＦＡＣＨで動作するユーザ機器のアクティブ・セットを形成することは、むずかしく、ＣＥＬＬ＿ＦＡＣＨで動作するユーザ機器からネットワークへの不断の測定レポートの送信は、ＣＥＬＬ＿ＦＡＣＨの目的すなわち、シグナリング・メッセージを節約し、バッテリ電力を保存することを阻止する。
【００８８】
諸実施形態は、ＣＥＬＬ＿ＦＡＣＨで動作するユーザ機器によって引き起こされるセル間干渉を減らすことを目指すものである。
【００８９】
干渉問題に対処する以前の提案は、隣接するセルにアタッチされたユーザ機器のグラントを制御するために、セルがセル間Ｅ−ＲＧＣＨ（E-DCH Relative Grant Channel）を送信することを可能にすることを提案する。ユーザ機器は、その隣接セルのそれぞれのセル間Ｅ−ＲＧＣＨをそれ自体のサービング・セルによってブロードキャストされた情報からどのように復号すべきかに関する情報を入手する。セル間Ｅ−ＲＧＣＨは、すべてのセル間ユーザ機器にブロードキャストされると仮定される。たとえば、隣接するセル、セル２およびセル３を有するセル１にアタッチされたユーザ機器は、それぞれセル２およびセル３によってブロードキャストされる可能なＥ−ＲＧＣＨ−２およびＥ−ＲＧＣＨ−３をリスンするように動作可能である。Ｅ−ＲＧＣＨ−２およびＥ−ＲＧＣＨ−３に関する復調情報は、セル１によってユーザ機器に提供される。
【００９０】
セルは、強い干渉に直面する時に、セル間Ｅ−ＲＧＣＨをブロードキャストするように動作可能である。強い干渉に直面するセルの隣接セルとのオーバーラップする領域内のユーザ機器は、そのグラントを減らし、それを行う際にその送信電力を減らすように動作可能である。これは、効果的に、セル間Ｅ−ＲＧＣＨをブロードキャストするセルで経験される干渉を減らす。
【００９１】
そのような提案によれば、ユーザ機器は、サービング・セルおよび隣接セルから受信される信号強度の差が所定のしきい判断条件を満足する場合に、隣接セルからのセル間Ｅ−ＲＧＣＨについて監視することだけが必要である。そのしきい判断条件は、有害なアップリンク干渉を引き起こすのに十分にユーザ機器が隣接するセルに近いことを示すように選択される。
【００９２】
そのような提案に関する問題は、セル間Ｅ−ＲＧＣＨが、特定のユーザ機器をターゲットにすることができず、したがって、セル間Ｅ−ＲＧＣＨをリスンするように動作可能なすべてのユーザ機器が、そのグラントを減らすように動作することである。これは、過剰な量のグラント削減を引き起こし、ネットワークにまたがる劣化したスループット性能につながる可能性がある。たとえば、オーバーラップする領域内で動作する２０個のユーザ機器がある場合に、その干渉を減らすことを望むセルは、セル間Ｅ−ＲＧＣＨをブロードキャストするはずである。セルのアップリンク干渉を許容できるレベルまで下げるために、オーバーラップする領域内で動作する１つのユーザ機器だけが、そのグラントを減らす必要がある可能性が高い。しかし、セル間Ｅ−ＲＧＣＨのブロードキャストの性質に起因して、ブロードキャストされるＥ−ＲＧＣＨをリスンするように動作可能な、オーバーラップ領域内の２０個すべてのユーザ機器が、そのグラントを減らす。全体的な劣化は、ユーザ機器が隣接するセルのカバレージ・エリアの奥深くに移動する、前に説明したシナリオでより悪くなる。というのは、ユーザ機器が第２のセルのより奥に移動する時に、そのセルが、セル間Ｅ−ＲＧＣＨ上でグラントを減らすためのより強い指示をブロードキャストし、これが、オーバーラップ領域内で動作する他のユーザ機器のスループットを大幅に減らすように動作するからである。
【００９３】
本明細書に記載の実施形態は、「ＳＨＯプリアンブル・シグネチャ」および対応する共通Ｅ−ＤＣＨの１つまたは複数のセットの割当が、特にオーバーラップする領域内で動作するユーザ機器に関して発生する方法に関する。関連する隣接セルは、関連するＳＨＯプリアンブル・シグネチャおよびそれに対応するＥ−ＤＣＨリソースの知識を用いて構成される。
【００９４】
ユーザ機器が、たとえば、そのサービング・セルのパイロット信号に対する相対的な、隣接セルの測定されたパイロット信号が、所定の「オーバーラップ」判断基準を満足すると判定することによって、それがオーバーラップする領域内で動作しつつあると判定する場合に、そのユーザ機器は、ＳＨＯプリアンブル・シグネチャの所定のセットからＳＨＯプリアンブルを選択するように動作可能である。
【００９５】
いくつかの実施形態によれば、各ＳＨＯまたは「オーバーラップ」領域は、所定のＳＨＯプリアンブルおよび対応するＥ−ＤＣＨリソースの異なるセットを有する。各ＳＨＯ領域のＳＨＯプリアンブルのリストは、サービング・セルによってブロードキャストされる。たとえば、ユーザ機器に対してサービング・セルとして動作する第１のセル、セル１は、第２のセル、セル２とのオーバーラップ領域についてＳＨＯプリアンブルの１つのリストを、セル３とのオーバーラップ領域について別のリストをブロードキャストする。
【００９６】
いくつかの実施形態によれば、所与のオーバーラップ領域のＳＨＯプリアンブルのリストは、サービング・セルに依存して異なる。たとえば、セル１とのオーバーラップ領域に関するセル２によってブロードキャストされるＳＨＯプリアンブルのリストは、通常、セル２とのＳＨＯ領域に関するセル１によってブロードキャストされるＳＨＯプリアンブルのリストとは異なる。１つのセルだけが、各リソースの割当を制御することができ、これは、隣接するセルがプリアンブルを検出できず、したがって対応するＥ−ＤＣＨリソースが既に使用されていることを知らないままになる場合に発生する可能性がある問題を回避するのを助ける。
【００９７】
サービング・セルが、そのセル内のＵＥによって送信されるＳＨＯプリアンブル・シグネチャのうちの１つを検出する場合に、サービング・セルは、対応するＥ−ＤＣＨの使用を許可することができ、あるいは、異なるＥ−ＤＣＨリソースを割り当てることができる。各セルは、その隣接セルによるオーバーラップ領域での使用のために構成されたプリアンブルを検索するように構成され、したがって、隣接セルが、異なるサービング・セルからのＳＨＯプリアンブルを検出する時に、隣接セルは、対応するＥ−ＤＣＨを復号することを試みることに進む。
【００９８】
サービング・セルが、所定のＳＨＯプリアンブル・リストに含まれるものとは異なるＥ−ＤＣＨリソースを割り当てることを選択する場合に、隣接するセルは、どのリソースが割り当てられたのかを知らず、データを復号することがむずかしくなる可能性がある。たとえば、信号を復号することを試みるために、受信するセルは、並列に、すべての可能なＳＨＯ  Ｅ−ＤＣＨスクランブリング符号を比較しなければならない可能性がある。したがって、異なるＥ−ＤＣＨリソースを割り当てることを選択するセルが、非ＳＨＯ  Ｅ−ＤＣＨリソースを割り当てることを可能とすることができ、これによって、その送信が実際にはＳＨＯ手順に従って受信されつつあるのではないユーザ機器によるＳＨＯ  Ｅ−ＤＣＨリソースの「混乱」が回避される。
【００９９】
ＳＨＯプリアンブルのセットは、いくつかの実施形態によれば、従来のプリアンブルのサブセットとすることができる。同様に、対応するＳＨＯ  Ｅ−ＤＣＨリソースを、従来の共通Ｅ−ＤＣＨリソースのサブセットとすることができる。諸実施形態によれば、ＳＨＯ  Ｅ−ＤＣＨリソースは、先験的に選択され、これらのリソースの復調のためのすべての情報、たとえばスクランブリング符号、Ｆ−ＤＰＣＨオフセットは、隣接するセルに送信される。
【０１００】
ＳＨＯ  Ｅ−ＤＣＨリソースが、共通Ｅ−ＤＣＨリソースのサブセットである場合に、基地局は、使用可能な他のリソースがない場合またはＳＨＯ  Ｅ−ＤＣＨリソースを使用するオーバーラップする領域内にユーザ機器がない場合に、オーバーラップする領域内にないユーザ機器にＳＨＯ  Ｅ−ＤＣＨリソースを割り振ることができる。同様に、使用可能なＳＨＯ  Ｅ−ＤＣＨリソースがない場合に、オーバーラップ領域内のユーザ機器に、従来の共通Ｅ−ＤＣＨリソースを割り当てることができる。
【０１０１】
いくつかの実施形態によれば、ＣＥＬＬ＿ＦＡＣＨ  ＳＨＯに参加するセルは、隣接セルからの可能なＳＨＯプリアンブルを探すために、いくつかの検索を割り当てる。サービング・セル・サーチャ（searcher）は、サーチャが隣接ユーザ機器送信を検出することをより容易にするために、隣接セルのＳＦＮタイミングおよびＰＲＡＣＨアクセス・スロット構成を知ることによっても支援され得る。
【０１０２】
極端な場合には、すべての共通Ｅ−ＤＣＨリソースが、ＳＨＯ共通Ｅ−ＤＣＨリソースでもある。そのような配置は、すべてのＥ−ＤＣＨ送信に関する完全なＳＨＯ制御を可能にするが、隣接するセルからのかなりのリソースを要求する。
【０１０３】
ＳＨＯプリアンブルおよび対応するＥ−ＤＣＨリソースの所与の所定のセットについて、ユーザ機器は、たとえば、ブロードキャスト・シグナリングによって、ユーザ機器が隣接セルの制御チャネルを復号するように動作可能になるようにするために、これらの制御チャネル（たとえば、Ｅ−ＨＩＣＨ、Ｅ−ＲＧＣＨ、Ｆ−ＤＰＣＨ）の詳細を与えられる。
【０１０４】
諸実施形態では、各ＳＨＯ  Ｅ−ＤＣＨリソースは、対応する隣接セル制御チャネルのセットに関連する。これらの制御チャネルを使用して、隣接セルは、ＣＥＬＬ＿ＤＣＨでＳＨＯで動作するユーザ機器に似た形で、セル間ユーザ機器の送信を制御することができる。その結果、セルは、特定のユーザ機器からの送信（または、むしろ共通ＳＨＯ  Ｅ−ＤＣＨ）をターゲットにすることによって、アップリンク干渉を制御することができる。
【０１０５】
図２に、一実施形態による干渉制御方法を概略的に示す。図２に示されているように、セル１は、２つのユーザ機器、ＵＥ１およびＵＥ２に対するサービング・セルとして働く。ＵＥ１は、セル１とセル２との間のオーバーラップする領域に配置され、ＵＥ２は、セル１とセル３との間のオーバーラップする領域に配置される。
【０１０６】
セル１は、３２個のプリアンブルおよび関連する共通Ｅ−ＤＣＨリソースを有し、これらは、次のように分割される。
○Ｅ−ＤＣＨ  １およびＥ−ＤＣＨ  ２は、セル１と２との間のＳＨＯ領域のプリアンブル１および２に関連するＳＨＯ共通Ｅ−ＤＣＨリソースである
○Ｅ−ＤＣＨ  ３およびＥ−ＤＣＨ  ４は、セル１と３との間のＳＨＯ領域のプリアンブル３および４に関連するＳＨＯ共通Ｅ−ＤＣＨリソースである
○Ｅ−ＤＣＨ  ５〜Ｅ−ＤＣＨ  ３２は、従来の共通Ｅ−ＤＣＨリソースである
【０１０７】
ＣＥＬＬ＿ＤＣＨで動作するユーザ機器の測定およびアクティブ・セット・セッティングに基づいて、ＲＮＣは、セル１の領域内でｃｅｌｌ＿ＤＣＨモードで動作するほとんどのユーザ機器が、そのアクティブ・セット内にセル２およびセル３を有すると判断する。
【０１０８】
したがって、ＲＮＣは、この実施形態では、ＣＥＬＬ＿ＦＡＣＨモードでデータ・トラフィックを送信するユーザ機器のある度合のＳＨＯ機能性の達成する潜在的な候補として、セル２およびセル３を使用できると判定する。ＲＮＣは、ＳＨＯプリアンブルおよび共通Ｅ−ＤＣＨリソースの詳細をセル１（すなわち、Ｅ−ＤＣＨ  １およびＥ−ＤＣＨ  ２）からセル２に渡す。同様に、ＲＮＣは、ＳＨＯプリアンブルおよび共通Ｅ−ＤＣＨリソースの詳細をセル１（すなわち、Ｅ−ＤＣＨ  ３およびＥ−ＤＣＨ  ４）からセル３に渡す。セル２および３は、セル間制御チャネル（たとえば、Ｅ−ＨＩＣＨ、Ｅ−ＲＧＣＨ）のためにいくつかのリソースを予約し、この情報は、セル１に渡される。
【０１０９】
ＵＥ１およびＵＥ２は、そのＣＥＬＬ＿ＦＡＣＨ手順の一部として、それぞれセル２およびセル３から受信されるパイロット信号を測定し、これらを、そのサービング・セルすなわちセル１からのパイロット信号と比較する。セル２とセル１との間のパイロット信号においてＵＥ１によって検出される差は、ＵＥ１がオーバーラープする領域内にあることを示す。同様に、セル３とセル１との間のパイロット信号の差は、ＵＥ２がオーバーラープする領域内にあることを示す。ＵＥ１およびＵＥ２は、図示の位置にある間に、バースト的アップリンク・トラフィックを送信する必要があると判定する。これらは、オーバーラップする領域内にあるので、ＳＨＯ共通Ｅ−ＤＣＨリソースに対応するプリアンブルを選択する。
【０１１０】
セル１は、ＵＥ１およびＵＥ２からプリアンブルを受信し、それぞれＵＥ１およびＵＥ２にＥ−ＤＣＨ  １およびＥ−ＤＣＨ  ３を割り当てる。セル２およびセル３は、セル１ＳＦＮタイミングを知っているので、これらが、それぞれＵＥ１およびＵＥ２からのプリアンブルを検出することも可能である。
【０１１１】
セル２およびセル３は、それぞれ可能なＥ−ＤＣＨ  １送信およびＥ−ＤＣＨ  ３送信について監視するように動作可能である。ＵＥ１およびＵＥ２が、Ｅ−ＤＣＨ送信を開始する時に、セル２およびセル３は、Ｅ−ＤＣＨ  １送信およびＥ−ＤＣＨ  ３送信を検出し、これらを復号するように動作可能である。セル２およびセル３は、ＵＥ１およびＵＥ２のグラントおよび送信電力を制御するために、それぞれＵＥ１およびＵＥ２に制御信号を送信するように動作可能でもある。したがって、セル２およびセル３は、その隣接セル、セル１にアタッチされたユーザ機器で発生するユーザ機器送信を管理し、それ自体のアップリンク干渉を管理することができる。
【０１１２】
諸実施形態は、いくつかのＥ−ＤＣＨリソースを使用して、ＣＥＬＬ＿ＦＡＣＨ「ＳＨＯ」がアップリンク干渉を管理することを可能にすることを可能にする。
【０１１３】
当業者は、さまざまな上で説明された方法のステップを、プログラムされたコンピュータによって実行できることをたやすく認めるであろう。本明細書では、いくつかの実施形態は、機械可読またはコンピュータ可読であり、機械実行可能またはコンピュータ実行可能な命令のプログラムを符号化するプログラム・ストレージ・デバイス、たとえば、ディジタル・データ・ストレージ媒体を包含することも企図されており、前記命令は、前記上で説明した方法のステップの一部またはすべてを実行する。プログラム・ストレージ・デバイスは、たとえば、ディジタル・メモリ、磁気ディスクまたは磁気テープなどの磁気記憶媒体、ハード・ドライブ、または光学的に読取可能なディジタル・データ記憶媒体とすることができる。諸実施形態は、上で説明された方法の前記ステップを実行するようにプログラムされたコンピュータを包含することも意図されている。
【０１１４】
「プロセッサ」または「論理」としてラベルを付けられたすべての機能ブロックを含む、図面に示されたさまざまな要素の機能を、専用ハードウェアならびに適当なソフトウェアに関連してソフトウェアを実行することができるハードウェアの使用を介して提供することができる。プロセッサによって提供される時に、機能を、単一の専用のプロセッサによって、単一の共有されるプロセッサによって、またはそのうちのいくつかを共有できる複数の個々のプロセッサによって提供することができる。さらに、用語「プロセッサ」、「コントローラ」、または「論理」の明示的使用は、ソフトウェアを実行できるハードウェアを排他的に指すと解釈されてはならず、限定なしに、ディジタル信号プロセッサ（ＤＳＰ）ハードウェア、ネットワーク・プロセッサ、特定用途向け集積回路（ＡＳＩＣ）、フィールド・プログラマブル・ゲート・アレイ（ＦＰＧＡ）、ソフトウェアを格納する読取り専用メモリ（ＲＯＭ）、ランダム・アクセス・メモリ（ＲＡＭ）、および不揮発性ストレージを暗黙のうちに含むことができる。従来のおよび／またはカスタムの、他のハードウェアを含めることもできる。同様に、図面に示されたすべてのスイッチは、概念的なものにすぎない。その機能を、プログラム論理の動作を介して、専用論理を介して、プログラム制御と専用論理との相互作用を介して、または手動でさえ実行することができ、特定の教示は、文脈からのより具体的なりか意図して実装者によって選択可能である。
【０１１５】
当業者は、本明細書のすべてのブロック図が、本発明の原理を実施する例示的回路網の概念的なビューを表すことを了解するであろう。同様に、すべてのフロー・チャート、流れ図、状態遷移図、擬似コード、および類似物は、コンピュータ可読媒体内で実質的に表すことができ、したがって、コンピュータまたはプロセッサが明示的に図示されているか否かに関わりなく、そのようなコンピュータまたはプロセッサによって実行され得るさまざまなプロセスを表すことを了解されたい。
【０１１６】
この説明および図面は、単に、本発明の原理を例示するものである。したがって、当業者が、本発明の原理を実施する、本明細書で明示的説明されず、図示されていない、さまざまな配置を考案できることを了解されたい。さらに、本明細書で列挙されたすべての例は、原理的に、当技術を促成するために発明人（１つまたは複数）が貢献する本発明の原理および概念を読者が理解するのを助ける教育的目的のためのみのものである。さらに、本発明の原理、諸態様、および諸実施形態を列挙する本明細書のすべての言及ならびにそのすべての特定の例は、その同等物を包含することが意図されている。
【図１】
0005833758.tif 000002
【図２】
0005833758.tif 000003